(57)【要約】  金／銅基板の界面におけるマイクロボイドの存在を減少させるまたは除去する、銅基板を金によりメッキする方法が記載される。適切には、外部電流の印加を伴わずに１秒を超えて浴に露出する基板の部分が存在しないように、基板のメッキ浴への生進入が、浴への外部電流の印加とともに行われる。金ストライク用の印加電流の、金の減少のための物質移動限界までの増加は、マイクロボイドの除去における充分な程度の改良を完遂する。
2021521330.tif 000002
【特許請求の範囲】
【請求項１】
周期表の第１０族および第１１族金属元素から選択された１つ以上の金属を銅基板にメッキする方法であって、
前記基板を前記１つ以上の金属を含む浴へと垂直方向に下降させる工程、前記基板が前記浴によって濡れるとすぐに前記浴を通じる外部電流を印加する工程、を備える、方法。
【請求項２】
前記金属は金である、請求項１に記載の方法。
【請求項３】
前記外部電流は金ストライクを前記基板上に生成する、請求項１に記載の方法。
【請求項４】
前記外部電流は、物質移動限界を超える点まで上昇する、請求項１に記載の方法。
【請求項５】
前記外部電流は、６５〜１２９アンペア毎平方メートル（６〜１２アンペア毎平方フィート（ＡＳＦ））の範囲まで上昇する、請求項４に記載の方法。
【請求項６】
前記浴は、Ａｕ（ＣＮ）２−を含む浴、Ａｕ（ＣＮ）４−を含む浴、ＡｕＣｌ４−を含む浴、およびＡｕＳＯ３−を含む浴からなる群から選択された１つを含む、請求項１に記載の方法。
【請求項７】
請求項２に記載の方法によって作られた、金メッキされた銅基板。
【請求項８】
請求項５に記載の方法によって作られた、金メッキされた銅基板。
【請求項９】
請求項７に記載の金メッキされた銅基板を備える、プリント回路板。
【請求項１０】
請求項８に記載の金メッキされた銅基板を備える、プリント回路板。
【請求項１１】
銅基板上の金メッキの上に作られたはんだ接合に形成されたマイクロボイドを除去する方法であって、
金を含むメッキ浴に前記基板が接触する１秒以内に金ストライクを前記基板上へメッキするのに充分な外部電流を印加する工程を備える、方法。
【請求項１２】
前記外部電流の密度は、前記基板に金メッキを形成するのに充分な電流よりも２〜１０倍大きい、請求項１１に記載の方法。
【請求項１３】
前記外部電流の密度は、前記基板上に２５ｎｍ（１マイクロインチ）以上の厚さの金メッキを形成するのに充分である、請求項１１に記載の方法。
【請求項１４】
前記金ストライク上に金属を電気メッキする工程をさらに備える、請求項１１に記載の方法。
【請求項１５】
前記基板は、不定長の基板である、請求項１１に記載の方法。
【請求項１６】
前記基板は、前記メッキ浴へと垂直方向の配向にて誘導される、請求項１５に記載の方法。
【請求項１７】
前記外部電流を６５〜１２９アンペア毎平方メートル（６〜１２アンペア毎平方フィート（ＡＳＦ））の範囲まで増加させる工程をさらに備える、請求項１１に記載の方法。
【請求項１８】
ａ．金属メッキを電気メッキすることが所望される金属基板を提供する工程と、
ｂ．メッキされる金属を溶液に含むメッキ浴を提供する工程と、
ｃ．前記基板を前記メッキ浴と接触させる工程と、
ｄ．前記基板が前記浴に接触するとすぐに、前記メッキ浴を通じて外部電流を印加する工程と、を備える電気メッキ方法。
【請求項１９】
前記金属基板は、前記基板の前記メッキ浴への垂直方向の進入および水平方向の進入からなる群から選択された一方によって前記メッキ浴に接触する、請求項１８に記載の電気メッキ方法。
【請求項２０】
前記基板が前記メッキ浴によって濡れると、最大物質移動限界まで前記外部電流を増加させる工程をさらに備える、請求項１９に記載の電気メッキ方法。
【発明の詳細な説明】
【技術分野】
【０００１】
はんだ接合における欠陥は、電気メッキされた銅のはんだ接合がなぜ失敗を受けやすかったのかを決定するために分析された。はんだ接合における欠陥は、特にプリント回路板（以下、“ＰＣＢ”）において、ＰＣＢを製造するおよび使用する産業にわたって広く経験されたが、しかしながら、その問題の根本的な原因は、本開示の前には未だに決定されていなかった。本発明者は、徹底的な研究の末、後に形成されるはんだ接合が失敗する原因は、銅におけるメッキされた金属の界面におけるマイクロボイドの存在であったことを発見した。本発明者は、はんだ接合の後の失敗の根本的な原因であった、メッキされた金属基板の界面におけるマイクロボイドの形成を除去する、銅基板を金属メッキする処理を発見した。
【背景技術】
【０００２】
金属メッキ処理は、一般には、ポーノヴィッチ（Ｐａｕｎｏｖｉｃ）およびシュレジンジャー（Ｓｃｈｌｅｓｉｎｇｅｒ）による本「電気化学析出の基礎（Ｆｕｎｄａｍｅｎｔａｌｓ  ｏｆ  Ｅｌｅｃｔｒｏｃｈｅｍｉｃａｌ  Ｄｅｐｏｓｉｔｉｏｎ）」に記載されるように、一般に知られている。このテキストは、金属メッキ処理の実際のパラメータをどのように設定したいかを直接は説明していないが、核生成から成長までの析出処理、また第１原理の視点からどの変数がそれらの処理に影響するか、の金属メッキ処理の記載においては充分である。著者によって、現代の電気化学析出処理の多くが知られるようになっている。これに加えて、熱力学の視点から、電気化学の基礎は、ジョン・ニューマン（Ｊｏｈｎ  Ｎｅｗｍａｎ）の「電気化学システム（Ｅｌｅｃｔｒｏｃｈｅｍｉｃａｌ  Ｓｙｓｔｅｍｓ）」に見出され得る。熱力学相互作用は、処理設定の選択および除去されている欠陥の起源を理解するのに重要である。欠陥の根本的な原因（すなわち、メッキされた金属／基板界面におけるメッキにおけるボイド）は、商用製品の試験によって確認されている。電気化学析出の基礎および電気化学システムのテキストは、参照によりその全体が本明細書に組み込まれる。ＩＰＣ−Ａ−６１０−Ｄでは、Ｘ線による面積でのボイドの最大量が、はんだの濡れ領域の２５％以下であれば許される。別の文書、ＩＰＣ−７０９５では、その面積の４％超を１つのボイドが占めてはならないという、遥かに厳しい要求が示されている。１００×１２０μｍのパッドでは、それは２４μｍの最大直径を意味する。
【０００３】
金属ストリップ上の金属のいくつかの電気化学メッキは、１９４３年４月２０日に発行された特許文献１に記載され、また特に、垂直方向型のストリームメッキ処理は、１９９３年８月１７日に発行された特許文献２に記載され、それらの各々は参照により本明細書に組み込まれる。これらの特許のそれぞれの開示の後、電気メッキされた基板上のはんだ接合の失敗が、よく生じていた。
【０００４】
欠陥の根本的な原因を認識して、本発明者は、メッキされた金属／基板界面にマイクロボイドを生成しない、基板上の金属メッキの処理を構成した。これらのマイクロボイドを除去する処理を完遂すると、メッキされた金属／基板界面上のはんだ接合の失敗は、劇的に減少した。
【先行技術文献】
【特許文献】
【０００５】
【特許文献１】米国特許第２，３１７，２４２号明細書
【特許文献２】米国特許第５，２３６，５６６号明細書
【発明の概要】
【０００６】
金属を基板に電気メッキする本処理によって、メッキされた金属／基板界面におけるマイクロボイドの生成が避けられる。メッキされた金属は、通常は金であるが、白金、パラジウム、銀および金を含む、周期表の、旧ＩＵＰＡＣ第１Ｂ族（現在のＩＵＰＡＣ第１１族）またはニッケル族（現在のＩＵＰＡＣ第１０族）の貨幣金属のいずれであることも可能であるため、以下の開示を簡単にするために、メッキ金属として金が例示される。基板は、金によって他の金属上にメッキされることが可能である金属のいずれかであることも可能である。現在製造されているＰＣＢでは、銅が基板として用いられている支配的な金属であるが、他の金属および金属複合材料が基板として働くことが可能であることも認識される。
【０００７】
１つの実施形態では、はんだ自身における欠陥、またはフラックスを伴うはんだとはんだの他の組成物との組合せのためではなく、金／銅の界面におけるマイクロボイドのために、メッキされた金／銅基板界面におけるマイクロボイドの電気メッキ処理中の存在または生成が、後のはんだ接合の失敗を生じることを発見した。
【０００８】
さらなる実施形態では、電気メッキ金属を含み、溶液中のメッキ金属を維持するための他の浴組成物（酸など）を含む浴に銅などの基板が降下される、垂直型のメッキ処理を考案した。基板の酸含有メッキ金属浴への初期の下降は、浴に進入する基板にサイトを生成する腐食またはマイクロボイドを形成しない。
【０００９】
またさらなる実施形態では、銅基板はメッキ金属の酸含有浴に下降され、マイクロボイドの生成のための腐食またはサイトが基板に形成されることがないように、初期電流は、カソードとして働く基板と、浴中のアノードまたは浴用の容器の少なくとも一部として働くアノードとの間に印加される、垂直方向型のメッキ処理、すなわち、「生進入（ｌｉｖｅ−ｅｎｔｒｙ）」を用いる。
【００１０】
リール・トゥ・リールメッキの別の実施形態では、基板をメッキ浴へと完全に浸漬させた後、浸漬メッキを抑制する。浸漬中の基板上の核の生成は、後のメッキに対して有害な効果を有する。核を有する浸漬された基板に対する電流の後の印加は、これらの核から、逆円錐形状に、粒子成長がともに逆円錐の間に残されたボイドを生成するまで成長する粒子を優先的に生じ、そのことが、はんだ接合におけるボイドの根本的な原因である。この実施形態では、浸漬メッキ核の生成を防止するように、銅が浴に進入するとすぐに銅に金のメッキを開始することが必要である。さらに、生進入と増加した電流密度との両方が基板の適切な核生成を完遂するのに必要であるため、基板が浴へと浸漬される際に、印加される電流密度を上昇させ、電流密度を金析出についての物質移動限界の近くに対応する電流密度に維持する。
【００１１】
本開示のこれらのまたは他の目的は、添付の図面と併せて読むときに、詳細な説明を考慮して、よりよく理解される。
本発明の実施形態は、例として、また限定ではなく、添付の図面の図に示され、同様の参照符号は同様の要素を示す。
【図面の簡単な説明】
【００１２】
【図１】はんだ接合におけるボイドを示す、はんだ接合を有するＰＣＢのＸ線を示す図。
【図２】はんだ接合におけるボイドを示す、いくつかのはんだ接合の拡大Ｘ線図。
【図３】基板上の金属メッキとそのメッキの下の空洞の形成との概略図。空洞は、メッキ金属によって覆われてよく、またはメッキ金属の表面を通じて開いてよい。
【図４Ａ】メッキ金属の下の様々な空洞形成を示す、一連の顕微鏡写真。
【図４Ｂ】メッキ金属の下の様々な空洞形成を示す、一連の顕微鏡写真。
【図４Ｃ】メッキ金属の下の様々な空洞形成を示す、一連の顕微鏡写真。
【図４Ｄ】メッキ金属の下の様々な空洞形成を示す、一連の顕微鏡写真。
【図５】浸漬メッキが抑制されるように、パネルを用いてメッキラックを金ストライク浴へと下降させる「生進入」方法のグラフ図。
【図６】金メッキの改良と、ボイドの不在に対する、生じたはんだ結合の生じた劇的な改良とを示す、３０ＫＸにおける顕微鏡写真。
【図７】本開示に従って作られた１マイクロインチ（２５ｎｍ）のストライクの断面の顕微鏡写真。
【図８】金によりメッキされた銅基板を含む核における粒子成長の概略図。
【図９】ラックをメッキ浴へと下降させるための商用ＰＥＮＣホイストシステムの概略図。
【図１０】連続した垂直方向の進入の電気化学メッキ処理に応用されている生進入の概略図。
【図１１】連続した水平方向の進入の電気化学メッキ処理に応用されている生進入の概略図。
【発明を実施するための形態】
【００１３】
ＰＣＢ１０におけるはんだ接合１１，１２および１３のＸ線である図１に示されるように、ボイド１４，１５が、はんだ接合１２においてはっきり見られる。ボイド１６，１７および１８は、はんだ接合１３において見られる。１５〜３０μｍのボイドは、「タイプ２」として分類される。タイプ１のボイドは、１５μｍ未満の直径を有する。はんだ接合１１は、この拡大図においては可視的なボイドを示さない。これらのボイド、または金属メッキされた基板上に作られたときにはんだ接合の後の失敗の原因となる任意のボイドの除去は、本発明の第１実施形態の主題である。はんだ接合におけるマイクロボイドは、直径が１ミル（２５μｍ）未満のボイドであり、一般には１つの平面におけるランド界面に対するはんだに見出される。平面的マイクロボイドは、以下のようにして、はんだ接合の信頼性に影響する。温度サイクル中、平面的マイクロボイドは、すぐに亀裂を生じ、亀裂を素早く進展させ、その効果は、亀裂成長平面に存在する平面的マイクロボイドの密度に比例する。
【００１４】
図２に示されるいくつかのはんだ接合の拡大したＸ線に見られるように、ボイドは、単一のはんだ接合２０内に様々なサイズ２１，２２および２３にて形成されることが可能であり、または、はんだ接合接続２９におけるボイド２４，２５，２６，２７および２８によって示されるように、いくつかのはんだ接合に及ぶことも可能である。徹底的な調査を通じて、本発明者は、はんだ接合の失敗の根本的な原因が、はんだ自身にある、またははんだ付け複合材料に用いられるフラックスを含む、はんだ付け複合材料の様々な組成物にある欠陥によるのではなく、むしろ、はんだ接合が後に形成される金／銅基板界面に形成されるボイドによって生じる欠陥であることを見出した。これらのボイドは、メッキ金属により基板を不適切にメッキすることによって生じ得る。例えば、図９における浸漬メッキ処理の概略図に示されるように、ＰＥＮＣシステムホイスト９０は、複数の銅基板９２，９３を備えるラック９１を、セル９４に含まれる電気化学メッキ浴へと下降させることが可能である。電気化学浴内には、典型的には、メッキされる溶解した金属を含む電気メッキ溶液と、メッキされる金属を溶液に維持するための酸性組成物と、セル９４内に配置され得るかセル９４と一体に作られるアノード９５と、が存在する。外部電流が、ＤＣメッキ電流を提供するように、整流器によって供給されることが可能である。ラック９１は、メッキ浴におけるメッキ金属が、電流の誘導下において、カソードとして働く基板９２，９３に向かって流れるように、銅基板９２，９３に対し電位を伝達し、メッキ金属を固体金属として銅基板の表面に析出させる。
【００１５】
はんだ接合における欠陥の研究の結果、メッキ処理自身がはんだ接合における失敗の根本的な原因であることを発見した。図３の概略図を見ると、複数の「空洞」３１，３２，３３および３４、または微小なボイドが、銅基板３６とメッキ金属３７との間の界面３５に生成されることが分かる。空洞／ボイドは、いくつかの方法にて、後に形成されるはんだ接合の失敗に導き得る。第１に、主として空洞における空気、水および／またはフラックスの閉じ込めから、ガス放出が空洞位置にて生じ得る。ガス放出は、はんだを空洞位置にて変位させる。第２に、空洞の壁が酸化または腐食し得、銅基板、メッキ金属と腐食組成物との間の複雑なガルバニック腐食に導く。第３に、空洞にわたるメッキされた金属の「頂部」は、表面の下の空洞を露出するはんだ付け処理中に、物理的に崩壊する場合がある。第４に、充分なマイクロボイドが形成されると、物理的強度が損なわれる。図４Ａ，図４Ｂ，図４Ｃおよび図４Ｄは、メッキされた金属表面４６の下の基板４５におけるいくつかの空洞４１，４２，４３，４４の実際の顕微鏡写真である。したがって、空洞／ボイドが初期にメッキ金属を通じて露出しているか否かは、後のはんだ接合が失敗するか否かにおいて考慮される唯一の要因ではない。時間および／または処理とともに、空洞は露出し、失敗に対して脆弱な後のはんだ接合を作り得る。空洞４４は、実際には、空洞の壁における腐食４７の問題を示す。空洞は、メッキ電流の印加を開始する前に基板と接触しているメッキ浴の作用によって生成される。この作用は、外部電流の印加前のメッキ浴における組成物に起因する、メッキ浴における基板の浸漬によって生じる、腐食、孔食または他の表面欠陥と考えられることが可能である。腐食は、Ａｕ（ＣＮ）２−，Ａｕ（ＣＮ）４−，ＡｕＣｌ４−の浴において特に顕著であり、ＡｕＳＯ３−を含む浴も、この同一の問題を煩う。一般には、図９の基板を浴へと降下させるのにいくらか時間を要するため、通常は基板が浴に完全に浸漬された後である、メッキ電流を始めるまで、腐食と初期の核生成との両方が進行し得る。より早いレートにて下降させようとすることは、基板の物理的な破壊（例えば、曲げ）を生じる。本処理では、処理制御は、外部印加電流を伴わずに１秒間を超えて浴に露出する基板の領域が存在しないように、優先的にセットアップされる。このメッキ浴への「生進入」は、以下の空洞およびボイドの後の形成を防止する。第１に、酸浴に対し露出している基板金属に、腐食が生じない。この腐食は、基板がメッキ浴に浸漬するときであるが、メッキを生じるのに充分な電流の印加の前に、メッキ／基板界面に空洞を生成する。第２に、メッキ電流の印加を伴わない基板のメッキ浴への浸漬は、基板上に広く分散した核サイトを生成する。これらの広く分散した核サイトは、優先的にメッキを始め、このメッキは、メッキの下にボイドを生成し、したがって、以下に説明されるように、メッキされた基板がはんだ付けのために露出したときの、はんだボイド／失敗の根本的な原因でもある。
【００１６】
広く分散した核サイトを生成する際の欠陥は、腐食の欠陥ではなく、また前に説明されたような腐食によって生じた基板における空洞の生成に関連しない。しかしながら、広く分散した核サイトの生成は、さらに、後のはんだ接合の失敗に導き得る。そうした失敗のメカニズムは、これらの広く分散した核サイトからのメッキ形成および粒子成長に、その粒子成長が隣接する核サイトからの粒子成長と統合するまで、関与する。統合した粒子の下には、統合した粒子成長および基板の表面の下のボイドが存在する。例えば、金を取ることによって、シアン化物への推進力として、銅が錯形成され、置換が優先する。核の金アイランドを有すると、メッキ処理におけるその後に、それ以上核生成の優先は生じない。次いで、処理は、初期の核の成長によって推進する。初期の核からのこの成長は、逆円錐形状として進行する。隣接する円錐がともに成長すると、それらの円錐は、図８に関して以下に説明されるように、統合した円錐の下にボイドを形成する。沈められた基板に対する電流の通電の際、基板上の核は、基板の他の部分に対して不均衡にメッキする傾向がある。８１が銅基板を示し、８２，８３，８４，８５などが銅基板の表面上の核を示す、図８に概略的に示されるように、銅基板に対する金のメッキを始める際、粒子成長が核８２，８３，８４，８５にて開始し、隣接する粒子がともに成長するまでは、粒子８６，８７，８８および８９によって示されるように、外側に成長する傾向がある。そうした隣接する粒子８６および８７の下には、ボイド９０が形成される。同様に、ともに成長する粒子８７および８８の下には、ボイド９１が存在する。また、ボイド９２が、統合した粒子８８と８９との間に形成される。この処理は基板の表面にわたって繰り返されるため、多くの追加のボイドが、メッキ金属と基板との界面に形成され、基板自身における腐食、空洞またはボイドに起因しないことが認識される。したがって、銅基板の初期の腐食によって形成されるか否か、または銅基板表面上の広く分散した核の浸漬形成によって形成されるか否かにかかわらず、金／銅基板の界面におけるマイクロボイドを防止し、外部電流の効果の下において、後のメッキ中に形成される金の優先的な粒子成長を導くことが、本発明者の意図である。
【００１７】
後のはんだ接合における欠陥の根本的な原因に直面して、本発明者は、メッキ金属と基板との間の、その基板上に形成されるはんだ接合の後の失敗に導くこれらの界面の欠陥を防止する様々な方法を発見した。
【００１８】
図９に示される、単純な浸漬メッキ装置では、ホイスト９０によりラック９１をセル９４に含まれるメッキ浴へと下降させるのに、最大１分までの数秒、またはそれ以上を要する。パネルが完全に沈められるようにラックの降下が完了した後、また浸漬が完了した後のほんの１または２秒に、電力のスイッチが入れられる。パネルを浸漬浴へと早いペースにて落下させることは、基板に曲げを生じ得る。この遅い浸漬によって、メッキ浴の組成物が、基板における孔食、ボイドまたは他の表面欠陥を形成する、基板を腐食させることを見出した。これに加えて、銅基板が、印加される電流を伴わずに金ストライクメッキ浴に対し露出する、ある量の時間が存在し、基板の様々な部分にわたって潜在的な核サイトを形成する。そうした基板がメッキ浴に沈められた後、また基板が浸漬した後に電流が後に流れ出すとき、前に説明された空洞を生成する腐食された基板表面に対してメッキが始まる。第２に、メッキ電流を印加せずに基板をメッキ浴へと浸漬させることによって形成された広く分散した核生成サイトは、メッキ電流が印加され、広く分散した核サイトの周りの統合した粒子成長の下にボイドの形成を生じるとき、核生成の後の優先の除外に対し、これらの核生成サイトの周りに、不均衡な粒子成長を生成する。
【００１９】
１つの実施形態に係る処理は、基板がメッキ浴に接触するとすぐにメッキ電流が始まることを必要とする。すなわち、基板が浴によって濡れるとすぐにである。重要なことは、まさに濡らすときに電流を印加することである。この初期のメッキまたはストライクは、高品質および基板に対する優れた接着性を有する、非常に薄いメッキ（典型的には、約１〜３マイクロインチ（２５〜７６ｎｍ）が安全である）を形成するように用いられてよい。これは、メッキが続く際に構築される、後の厚さに対する土台として機能する。メッキの早い開始は、浴内の組成物による基板の腐食を防止するだけでなく、続くメッキが、メッキを開始する前の基板の表面上の広く分散された核の形成を防止する。ランク付け（平均対時間遅れ）用の相互作用プロット（データ平均）のグラフ図が、図５に見出される。金ストライクは、メッキ電流の２〜１０倍の電流密度にて扱われる。好ましい範囲は、４〜５倍であり、４．５が最も好ましい。ストライクを始めるのに充分高い電流密度においての基板の浴への生進入は、さらに、基板から浴へと流れる銅の量を減少させる。浴内の銅は、金メッキ処理の適切な機能に対して不利である。ストライク浴には、ストライク電流が浴を通過していない状態においてラックが浴へと下降する際、浸漬メッキを通じて銅が充填される。銅を含む浴は、銅が、アンダーポテンシャル析出を通じて、金とともにおよび金に共析出することを意味する。これは、開示される生進入処理の、従来の浸漬析出に対する別の利点であり、すなわち、基板が完全に浴に浸漬するまでメッキ電流を始めない。
【００２０】
方法の別の実施形態では、整流器からの外部メッキ電流を、金析出についての物質移動限界の近くに対応する電流にまで増加させる。ＰＥＮＣホイストシステムでは、それは最小の６ＡＳＦ（「アンペア毎平方フィート」）（６５アンペア毎平方メートル）であるが、名目の９ＡＳＦ（９７アンペア毎平方メートル）が好ましい。上界の１２ＡＳＦ（１２９アンペア毎平方メートル）は優れているように示され、その間の点は優れた性能を示す。したがって、ストライク電流は、６〜１２ＡＳＦ（６５〜１２９アンペア毎平方メートル）の範囲にある。金ストライク用の通常の電流密度は、金のエピタキシャル異質核生成を壊すには遥かに小さい。さらに、銅基板の粗面は、優先的な局在した核生成を生じる微分物質移動を受ける傾向がある。電流密度を金についての物質移動限界の上まで増加させることによって、均一および高密度の核生成が、無孔性の性質により生じる。核生成ボイドの証拠は、図６の金／基板界面６３において、３０ＫＸの断面ＦＩＢによっては見られず、図６では、基板は６０、また金メッキは６２である。
【００２１】
また、図７の１マイクロインチ（２５ｎｍ）のＦＩＢ断面に見られるように、基板７１と金メッキ７２との間の界面７０は、ボイドを含まない。
上に説明されたように、生進入と増加した電流密度との両方は、基板の腐食を限定することと基板の適切な核生成を完遂することとに必要である。生進入と増加した電流密度との各々は、１つまたは複数の問題を解決するが、２つの技術を組み合わせることによって、メッキされた基板におけるマイクロボイドに起因するはんだ接合の失敗をほぼ防止する。
【００２２】
金メッキされた銅基板は、ＰＣＢの一部であるか、またはその後ＰＣＢへと組み込まれることが可能である。ＰＣＢは、一般に、銅の薄板と誘電ポリマーとを備える。銅または他の金属基板は、エッチングされるか、または本分野において周知の技術によって回路へと形成されることが可能である。本開示の金メッキされた銅基板は、金属により定められるランドまたははんだマスクにより定められるランドを、図１に示される種類のＰＣＢに、はんだ接合におけるボイドの生成のリスクを伴わずに形成することが可能である。図１のＰＣＢ内の特定のプリント回路は例示に過ぎないこと、また、多くの他の種類および設計のＰＣＢは充分に当業者の範囲内であることが、明確に理解される。すべてのそうしたＰＣＢが、本開示の教示によって恩恵を受けることが可能である。
【００２３】
基板をメッキ浴へと下降させることに関するメッキ処理を最初に記載したが、生進入技術は、連続長または不定長の基板のリール・トゥ・リールメッキなどの、他の種類のメッキ方法および装置にも応用可能である。例えば、図１０に示されるように、リール・トゥ・リールメッキ装置および方法は、垂直方向の配向における生進入を利用している。リール１０２上の連続長または不定長の基板１００をストライク浴１０４に、既存の装置および生進入（すなわち、基板１００に対するメッキ電流の印加が、基板が浴に進入してすぐにまたは浴に進入した後１秒以内に）の場合のように水平方向よりもむしろ垂直方向の配向にて進入させるべく、既存の装置を修正することによって、基板１００上の浸漬腐食または広く分散したサイトの核生成は、上のＰＥＲＣホイストシステムに関して説明したのと同様に避けられ得る。そうした期間は、基板の腐食または浸漬核生成を防止するのに充分である。垂直方向の進入における最適な構成は、液体浴レベル１０３に対する第１の組のアノード１１０，１１２の構成によって、充分な印加電流を伴わないストライク浴１０４における基板１００の１秒を超える浸漬が不可能である。最小１メートル／分のウェブ速度では、アノード１１０，１１２は、液体浴１０３のレベルの１インチ（２５ｍｍ）未満下にある。浴１０４への垂直方向の進入は、矢印Ａにて示される。垂直方向の生進入は、一般には図１０の１０８における破線によって示される水平方向のメッキと組み合わせられることが可能である。破線１０８は、ストライク浴１０４と比較した、実際のメッキ区域を示す。メッキ浴１１３は、アノード１２０と１２２との間のメッキ区域１０８に存在する。第１の組のローラ１２４，１２５は、基板１００をメッキ浴１１３へと運搬する。第２のセットのローラ１２６，１２７は、メッキ浴１１３がメッキ区域１０８に存在するのを防止するためのシール（図示せず）などの任意の既知の手段を利用して、主として、ストライク浴１０４から分離したメッキ浴１１３を維持する。アノード１２０，１２２は、Ａｕストライク上にＡｕメッキを所望の厚さまで生じるのに充分な電流を供給する。区域１０８は、縮尺通りには示されず、基板１００の区域１０８内の滞留時間中に所望の厚さにまでメッキを生じる寸法であることが可能である。所望の厚さに達した後、メッキされた基板は、ローラ１２８，１２９の補助によりメッキ区域１０８を出る。コーティングされた基板１１１は、ローラ１０５，１０６を有するメッキ装置を通じて引き出され、その装置から最終的に取り出され、リール１０１上に置かれる。
【００２４】
図１１は、従来の水平方向のメッキ装置１３０を利用したリール・トゥ・リールメッキの代替の形態を示す。リール（図示せず）から解かれていることが可能である基板１３１または他のソースが、ローラ１３２，１３３によって、水平方向のメッキ装置１３０に進入する。装置１３０に進入するとすぐに、または進入の１秒以内に、ストライクメッキは、ＤＣ電流をストライク浴１３９におけるアノード１３７，１３８に印加することによって、基板１３１上に形成される。ストライク浴１３９は、図１０に関して説明されたようなストライク浴１０４と同様の性質であることが可能である。基板１３１の表面の所望されない核生成を防止するように、非常に薄いストライクコーティングが所望される。基板１３１上のＡｕストライクの形成がされると、ストライクメッキされた基板は、メッキ浴１３６へと運搬される。アノード１３４，１３５に印加されるＤＣ電流は、ストライクの所望の厚さのメッキを生じる。所望の厚さのメッキが電気析出された後、メッキされた基板は、メッキ装置１３０からローラ１４０，１４１によって取り出される。
【００２５】
本開示は、メッキされたＰＣＢコンポーネントの問題を解決するが、多くの金属メッキの問題について非常に広い応用を有する。
金／銅基板の界面におけるマイクロボイドの存在を防止または避けることを保証するように利用される、方法および技術の例を提供した。これらの方法および技術は、例示に過ぎず、限定するものではないことが理解される。本開示が対象とする当業者は、発明の努力をすることなく本開示を利用する工程および技術を容易に想到する。
【図１】
2021521330.tif 000003
【図２】
2021521330.tif 000004
【図３】
2021521330.tif 000005
【図４Ａ−４Ｄ】
2021521330.tif 000006
【図５】
2021521330.tif 000007
【図６】
2021521330.tif 000008
【図７】
2021521330.tif 000009
【図８】
2021521330.tif 000010
【図９】
2021521330.tif 000011
【図１０】
2021521330.tif 000012
【図１１】
2021521330.tif 000013
【国際調査報告】
2021521330.tif 000014